(57)【要約】    洗剤界面活性剤と、ビルダーと、７５０，０００ダルトン〜１０，０００，０００の重量平均分子量ＭＷを有するポリエチレンオキシドと、１，０００〜２０，０００の重量平均分子量ＭＷを有するポリ（アクリル酸）と、を有する粉末洗濯洗剤配合物が提供される。  【選択図】なし【特許請求の範囲】
【請求項１】
粉末洗濯洗剤配合物であって、
５〜５０重量％の洗剤界面活性剤と、
２５〜８０重量％のビルダーと、
０．０１〜１重量％の、７５０，０００ダルトンから１０，０００，０００の重量平均分子量ＭＷを有するポリエチレンオキシドと、
０．０１〜５重量％の、１，０００〜２０，０００の重量平均分子量ＭＷを有するポリ（アクリル酸）と、を含む、粉末洗濯洗剤配合物。
【請求項２】
２，０００，０００〜８，０００，０００ダルトンの重量平均分子量ＭＷを有する前記ポリエチレンオキシドを０．０５〜０．５重量％含有する、請求項１に記載の粉末洗濯洗剤配合物。
【請求項３】
０．０５〜０．５重量％の、４，０００，０００〜６，０００，０００の重量平均分子量ＭＷを有する前記ポリエチレンオキシドを含有する、請求項２に記載の粉末洗濯洗剤配合物。
【請求項４】
０．１〜４重量％の、２，５００〜６，０００の重量平均分子量ＭＷを有する前記ポリ（アクリル酸）を含有する、請求項１に記載の粉末洗濯洗剤配合物。
【請求項５】
０．１〜４重量％の、２，５００〜６，０００の重量平均分子量ＭＷを有する前記ポリ（アクリル酸）を含有する、請求項４に記載の粉末洗濯洗剤配合物。
【請求項６】
前記洗剤界面活性剤が直鎖アルキルベンゼンスルホネートである、請求項５に記載の粉末洗濯洗剤配合物。
【請求項７】
前記洗剤界面活性剤が直鎖Ｃ１０〜２０アルキルベンゼンスルホネートである、請求項６に記載の粉末洗濯洗剤配合物。
【請求項８】
布地の洗浄方法であって、
布地を提供することと、
洗浄水を提供することと、
すすぎ水を提供することと、
請求項１に記載の粉末洗濯洗剤を提供することと、
前記粉末洗濯洗剤と前記洗浄水とを混合して、洗濯液を形成することと、
前記布地を前記洗濯液で処理することと、
前記布地を前記すすぎ水ですすぐことと、を含む、方法。
【請求項９】
前記布地が手洗いにより前記洗濯液で処理される、請求項８に記載の布地を洗浄する方法。
【請求項１０】
前記粉末洗濯洗剤が１：１００〜１：１，０００の重量比で前記洗浄水と混合される、請求項９に記載の方法。
【発明の詳細な説明】
【技術分野】
【０００１】
本発明は、粉末洗濯洗剤配合物に関する。特に、本発明は、洗剤界面活性剤と、ビルダーと、７５０，０００ダルトンから１０，０００，０００の重量平均分子量ＭＷを有するポリエチレンオキシドと、１，０００〜２０，０００の重量平均分子量ＭＷを有するポリ（アクリル酸）と、を有する粉末洗濯洗剤配合物に関する。
【０００２】
自動洗濯機の使用が増加しているにもかかわらず、多くの地域の人々が依然として布地の手洗いを行っている。したがって、界面活性剤を含有する改善された粉末洗濯配合物が引き続き必要とされている。
【０００３】
布地を手洗いするために粉末洗濯配合物を使用する消費者は、通常、泡の形成を所定の配合物の洗浄効果の主要な指標とみなしている。したがって、消費者は泡の量が多いことが望ましいと考える。それでも、単に泡の形成および安定性を改善するために、洗剤により多くの界面活性剤を追加することは高価である。
【０００４】
洗濯洗剤配合物の泡性能を高めるアプローチは、Ｍｏｒｔらの米国特許出願公開第２０１４／０３６６２７１号に開示されている。Ｍｏｒｔらは、粒状洗剤組成物を開示し、この粒状洗剤組成物は、当該組成物総重量の１％〜９９％の構造化粒子を含み、この構造化粒子は、（１）構造化粒子の総重量で３５％〜８０％のアニオン性界面活性剤と、２）構造化粒子の総重量で８％〜５０％の親水性シリカと、を含み、当該構造化粒子は、２５０ｐｍ〜１０００ｕｍの範囲の粒径分布Ｄｗ５０および５００〜１０００ｇ／Ｌの範囲のかさ密度を特徴とし、当該アニオン性界面活性剤は、０．１〜５．０の範囲の平均エトキシル化度を有するＣ１０〜２０直鎖または分岐鎖のアルキルエトキシスルフェートまたはその塩であり、当該親水性シリカは、シリカの総重量で１０％未満の残留塩を含み、水和時に膨潤シリカ粒子を形成することができ、当該膨潤シリカ粒子は１ｐｍ〜１００ｐｍの粒径分布Ｄｖ５０を有する。
【０００５】
したがって、配合物中の界面活性剤の量を増加させることなく、洗浄中により多くの泡を発生させることができる粉末洗濯配合物が引き続き必要とされている。
【０００６】
本発明は、粉末洗濯洗剤配合物を提供し、この粉末洗濯洗剤配合物は、５〜５０重量％の洗剤界面活性剤と、２５〜８０重量％のビルダーと、０．０１〜１重量％の、７５０，０００ダルトン〜１０，０００，０００の重量平均分子量ＭＷを有するポリエチレンオキシドと、０．０１〜５重量％の、１，０００〜２０，０００の重量平均分子量ＭＷを有するポリ（アクリル酸）と、を含む。
【０００７】
本発明は、布地を洗浄する方法を提供し、この方法は、布地を提供することと、洗浄水を提供することと、すすぎ水を提供することと、本発明の粉末洗濯洗剤を提供することと、粉末洗濯洗剤と洗浄水とを混合して洗濯液を形成することと、布地を洗濯液で処理することと、布地をすすぎ水ですすぐことと、を含む。
【発明を実施するための形態】
【０００８】
我々は、今回、７５０，０００〜１０，０００，０００ダルトンの重量平均分子量ＭＷを有するポリエチレンオキシドと、１，０００〜２０，０００ダルトンの重量平均分子量ＭＷを有するポリ（アクリル酸）とのブレンドを含む粉末洗濯洗剤配合物が、改善された発泡体の体積および安定性を有することを発見した。
【０００９】
他に示されない限り、比率、パーセンテージ、部等は、重量による。
【００１０】
本明細書で使用される場合、他に示されない限り、語句「分子量」またはＭｗは、ゲル浸透クロマトグラフィー（ＧＰＣ）およびポリ（エチレンオキシド）標準を用いて従来の手法で測定される重量平均分子量を指す。ＧＰＣ技術は、Ｍｏｄｅｍ  Ｓｉｚｅ  Ｅｘｃｌｕｓｉｏｎ  Ｃｈｒｏｍａｔｏｇｒａｐｈｙ，Ｗ．Ｗ．Ｙａｕ，Ｊ．Ｊ．Ｋｉｒｋｌａｎｄ，Ｄ．Ｄ．Ｂｌｙ；Ｗｉｌｅｙ−Ｉｎｔｅｒｓｃｉｅｎｃｅ，１９７９、およびＡ  Ｇｕｉｄｅ  ｔｏ  Ｍａｔｅｒｉａｌｓ  Ｃｈａｒａｃｔｅｒｉｚａｔｉｏｎ  ａｎｄ  Ｃｈｅｍｉｃａｌ  Ａｎａｌｙｓｉｓ，Ｊ．Ｐ．Ｓｉｂｉｌｉａ；ＶＣＨ，１９８８，ｐ．８１−８４で詳細に考察されている。分子量は、本明細書ではダルトンの単位で報告される。
【００１１】
他に指定しない限り、本明細書に記載される操作は、室温（２０〜２５℃）で実行された。
【００１２】
好ましくは、本発明の粉末洗濯洗剤配合物は、５〜５０重量％（好ましくは７．５〜３０重量％、より好ましくは１０〜２５重量％、最も好ましくは１４〜２０重量％）の洗剤界面活性剤と、２５〜８０重量％（好ましくは３０〜７５重量％、より好ましくは３５〜７０、最も好ましくは４０〜６５重量％）のビルダーと、０．０１〜１重量％（好ましくは０．０５重量％以上、より好ましくは０．０７重量％以上、さらにより好ましくは０．０９重量％以上、好ましくは０．８重量％以下、より好ましくは０．６重量％以下、最も好ましくは０．５重量％以下）の、７５０，０００ダルトン〜１０，０００，０００（好ましくは１，０００，０００以上、より好ましくは２，０００，０００以上、さらにより好ましくは４，０００，０００以上、好ましくは８，０００，０００以下、より好ましくは≦７，０００，０００以下、最も好ましくは６，０００，０００以下）の重量平均分子量ＭＷを有するポリエチレオキシドと、０．０１〜５重量％（好ましくは０．１重量％以上、より好ましくは０．５重量％以上、さらにより好ましくは０．７５重量％以上、好ましくは４重量％以下、より好ましくは３重量％以下、さらにより好ましくは２重量％以下、最も好ましくは１．５重量％以下）の、１，０００〜２０，０００（好ましくは１，５００以上、より好ましくは２，５００以上、さらにより好ましくは３，０００以上、好ましくは１５，０００以下、より好ましくは１０，０００以下、さらにより好ましくは７，０００以下、最も好ましくは６，０００以下）の重量平均分子量ＭＷを有するポリ（アクリル酸）と、を含む。
【００１３】
好ましくは、本発明の粉末洗濯洗剤配合物は、５〜５０重量％の洗剤界面活性剤を含む。より好ましくは、本発明の粉末洗濯洗剤配合物は、７．５〜３０重量％の洗剤界面活性剤を含む。さらにより好ましくは、本発明の粉末洗濯洗剤配合物は、１０〜２５重量％の洗剤界面活性剤を含む。最も好ましくは、本発明の粉末洗濯洗剤配合物は、１４〜２０重量％の洗剤界面活性剤を含む。
【００１４】
好ましくは、本発明の粉末洗濯洗剤配合物は、５重量％以上（好ましくは７．５重量％以上、より好ましくは１０重量％以上、最も好ましくは１４重量％以上）の洗剤界面活性剤を含む。
【００１５】
好ましくは、本発明の粉末洗濯洗剤配合物は、５０重量％以下（好ましくは３０重量％以下、より好ましくは２５重量％以下、最も好ましくは２０重量％以下）の洗剤界面活性剤を含む。
【００１６】
好ましくは、本発明の粉末洗濯洗剤配合物に使用される洗剤界面活性剤は、アニオン性界面活性剤、非イオン界面活性剤、双性イオン界面活性剤、両性界面活性剤、カチオン性界面活性剤およびそれらの混合物からなる群から選択される。より好ましくは、本発明の粉末洗濯洗剤配合物に使用される洗剤界面活性剤は、アルキルベンゼンスルホネート、アルコールスルフェート、アルコールエトキシレートからなる群から選択される界面活性剤を含む。最も好ましくは、本発明の粉末洗濯洗剤配合物に使用される洗剤界面活性剤は、アニオン性界面活性剤を含む。好ましくは、アニオン性界面活性剤は、アルキルベンゼンスルホネート、脂肪アルコールエーテルスルフェートおよびそれらの混合物からなる群から選択される。好ましくは、アニオン性界面活性剤は、アルキルベンゼンスルホネートを含む。より好ましくは、アニオン性界面活性剤は、直鎖アルキルベンゼンスルホネートを含む。最も好ましくは、アニオン性界面活性剤は、直鎖Ｃ１０〜２０アルキルベンゼンスルホネートを含む。
【００１７】
好ましくは、本発明の粉末洗濯洗剤配合物は、２５〜８０重量％のビルダーを含む。より好ましくは、本発明の粉末洗濯洗剤配合物は、３０〜７５重量％のビルダーを含む。さらにより好ましくは、本発明の粉末洗濯洗剤配合物は、３５〜７０重量％のビルダーを含む。最も好ましくは、本発明の粉末洗濯洗剤配合物は、４０〜６５重量％のビルダーを含む。
【００１８】
好ましくは、本発明の粉末洗濯洗剤配合物は、２５重量％以上（好ましくは３０重量％以上、より好ましくは３５重量％以上、最も好ましくは４０重量％以上）のビルダーを含む。
【００１９】
好ましくは、本発明の粉末洗濯洗剤配合物は、８０重量％以下（好ましくは７５重量％以下、より好ましくは７０重量％以下、最も好ましくは６５重量％以下）のビルダーを含む。
【００２０】
好ましくは、本発明の粉末洗濯洗剤配合物に使用されるビルダーは、粉末洗濯洗剤のビルダーとして従来使用されている有機材料および無機材料から選択される。好ましくは、本発明の粉末洗濯洗剤配合物に使用されるビルダーは、水和性アルカリ金属リン酸塩、アルカリ金属炭酸塩（炭酸塩および重炭酸塩を含む）、ゼオライト、エチレンジアミン四酢酸塩、ニトリロ三酢酸塩およびそれらの混合物からなる群から選択される。より好ましくは、本発明の粉末洗濯洗剤配合物に使用されるビルダーは、ゼオライト、三リン酸ナトリウム、トリポリリン酸ナトリウム、クエン酸ナトリウム、ケイ酸ナトリウム、炭酸ナトリウム、炭酸カルシウム、重炭酸ナトリウムおよび重炭酸カルシウムのうちの少なくとも１つを含む。最も好ましくは、本発明の粉末洗濯洗剤配合物に使用されるビルダーは、ゼオライト、トリポリリン酸ナトリウム、炭酸ナトリウムおよび炭酸カルシウムのうちの少なくとも１つを含む。
【００２１】
好ましくは、本発明の粉末洗濯洗剤配合物は、０．０１〜１重量％の、７５０，０００ダルトン〜１０，０００，０００（好ましくは１，０００，０００以上、より好ましくは２，０００，０００以上、さらにより好ましくは４，０００，０００以上、好ましくは８，０００，０００以下、より好ましくは７，０００，０００以下、最も好ましくは６，０００，０００以下）の重量平均分子量ＭＷを有するポリエチレンオキシドを含む。
【００２２】
好ましくは、本発明の粉末洗濯洗剤配合物は、０．０１重量％以上（好ましくは０．０５重量％以上、より好ましくは０．０７重量％以上、最も好ましくは０．０９重量％以上）の、７５０，０００ダルトン〜１０，０００，０００（好ましくは１，０００，０００以上、より好ましくは２，０００，０００以上、さらにより好ましくは４，０００，０００以上、好ましくは８，０００，０００以下、より好ましくは７，０００，０００以下、最も好ましくは６，０００，０００以下）の重量平均分子量ＭＷを有するポリエチレンオキシドを含む。
【００２３】
好ましくは、本発明の粉末洗濯洗剤配合物は、１重量％以下（好ましくは０．８重量％以下、より好ましくは０．６重量％以下、最も好ましくは０．５重量％以下）のポリエチレンオキシドを含む。
【００２４】
好ましくは、本発明の粉末洗濯洗剤配合物で使用されるポリエチレンオキシドは、７５０，０００以上（好ましくは１，０００，０００以上、より好ましくは２，０００，０００以上、さらにより好ましくは４，０００，０００以上）ダルトンの重量平均分子量ＭＷを有する。
【００２５】
好ましくは、本発明の粉末洗濯洗剤配合物に使用されるポリエチレンオキシドは、１０，０００，０００以下（好ましくは８，０００，０００以下、より好ましくは７，０００，０００以下、最も好ましくは６，０００，０００以下）ダルトンの重量平均分子量ＭＷを有する。
【００２６】
好ましくは、本発明の粉末洗濯洗剤配合物は、０．０１〜５重量％の、１，０００〜２０，０００（好ましくは１，５００以上、より好ましくは２，５００以上、さらにより好ましくは３，０００以上、好ましくは１５，０００以下、より好ましくは１０，０００以下、さらにより好ましくは７，０００以下、最も好ましくは６，０００以下）の重量平均分子量ＭＷを有するポリ（アクリル酸）を含む。
【００２７】
好ましくは、本発明の粉末洗濯洗剤配合物は、０．０１重量％以上（好ましくは０．１重量％以上、より好ましくは０．５重量％以上、最も好ましくは０．７５重量％以上）の、１，０００〜２０，０００（好ましくは１，５００以上、より好ましくは２，５００以上、さらにより好ましくは３，０００以上、好ましくは１５，０００以下、より好ましくは１０，０００以下、さらにより好ましくは７，０００以下、最も好ましくは、≦６，０００）の重量平均分子量ＭＷを有するポリ（アクリル酸）を含む。
【００２８】
好ましくは、本発明の粉末洗濯洗剤配合物は、５重量％以下（好ましくは４重量％以下、より好ましくは３重量％以下、さらにより好ましくは２重量％以下、最も好ましくは１．５重量％以下）の、１，０００〜２０，０００（好ましくは１，５００以上、より好ましくは２，５００以上、さらにより好ましくは３，０００以上、好ましくは１５，０００以下、より好ましくは１０，０００以下、さらにより好ましくは７，０００以下、最も好ましくは６，０００以下）の重量平均分子量ＭＷを有するポリ（アクリル酸）を含む。
【００２９】
好ましくは、本発明の粉末洗濯洗剤配合物に使用されるポリ（アクリル酸）は、１，０００以上（好ましくは１，５００以上、より好ましくは２，５００以上、最も好ましくは３，０００以上）ダルトンの重量平均分子量ＭＷを有する。
【００３０】
好ましくは、本発明の粉末洗濯洗剤配合物に使用されるポリ（アクリル酸）は、２０，０００以下（好ましくは１５，０００以下、より好ましくは１０，０００以下、さらにより好ましくは７，０００以下、最も好ましくは６，０００以下）ダルトンの重量平均分子量ＭＷを有する。
【００３１】
好ましくは、本発明の粉末洗濯洗剤配合物は、漂白剤、漂白活性化剤、再付着防止剤、安定剤、泡調整剤、酵素、光学増白剤、充填剤、加工助剤および香料からなる群から選択される１つ以上の任意成分をさらに含む。
【００３２】
好ましくは、本発明の粉末洗濯洗剤配合物は、０〜１０重量％の漂白剤をさらに含む。好ましい漂白剤には、例えば、過ホウ酸ナトリウムおよび過炭酸ナトリウムが挙げられる。
【００３３】
好ましくは、本発明の粉末洗濯洗剤配合物は、０〜１０重量％の漂白活性化剤をさらに含む。好ましい漂白活性化剤には、例えば、テトラアセチルエチレンジアミン（ＴＡＥＤ）およびノナノイルオキシベンゼンスルホン酸ナトリウム（ＮＯＢＳ）が挙げられる。
【００３４】
好ましくは、本発明の粉末洗濯洗剤配合物は、０〜２重量％の再付着防止剤をさらに含む。好ましい再付着防止剤には、例えば、カルボキシメチルセルロースおよびセルロースエーテルが挙げられる。
【００３５】
好ましくは、本発明の粉末洗濯洗剤配合物は、０〜１重量％の安定剤をさらに含む。好ましい安定剤には、例えば、ホスホネートが挙げられる。
【００３６】
好ましくは、本発明の粉末洗濯洗剤配合物は、０〜２重量％の酵素をさらに含む。好ましい酵素には、例えば、プロテアーゼ、セルラーゼ、アミラーゼおよびリパーゼが挙げられる。
【００３７】
好ましくは、本発明の粉末洗濯洗剤配合物は、０〜０．３重量％の光学増白剤をさらに含む。好ましい光学増白剤には、例えば、蛍光増白剤が含まれる。
【００３８】
好ましくは、本発明の粉末洗濯洗剤配合物は、０〜５０重量％（好ましくは５〜４０重量％、より好ましくは１０〜３５重量％、２０〜３５重量％）の充填剤をさらに含む。好ましい充填剤には、例えば、硫酸ナトリウムおよび塩化ナトリウムが挙げられる。
【００３９】
好ましくは、本発明の粉末洗濯洗剤配合物は、周知の製造方法により製造することができる。例えば、本発明の粉末洗剤配合物は、成分の様々な組み合わせの噴霧乾燥を含む技術を使用して製造することができる。
【００４０】
好ましくは、本発明の布地を洗浄する方法は、布地を提供することと、洗浄水を提供することと、すすぎ水を提供することと、本発明の粉末洗濯洗剤を提供することと、粉末洗濯洗剤と洗浄水とを混合して洗濯液を形成することと、洗濯液で布地を処理することと、布地をすすぎ水ですすぐことと、を含む。
【００４１】
好ましくは、本発明の布地を洗浄する方法において、布地は、周知の手洗い技術を使用することにより洗濯液で処理される。好ましくは、粉末洗濯洗剤は、粉末洗濯洗剤と洗浄水とが１：１００〜１：１，０００の重量比で洗浄水と混合される。
【００４２】
本発明のいくつかの実施形態をこれより以下の実施例において詳細に説明する。
【表１】
2020532611.tif 000002
【００４３】
比較例Ｃ１〜Ｃ４および実施例１〜２：洗濯洗剤組成物
粉末洗濯洗剤配合物は、比較例Ｃ１〜Ｃ４および実施例１〜２のそれぞれで調製され、表２で示される組成を有する。
【表２】
2020532611.tif 000003
【００４４】
洗剤試験
発泡試験プロトコル：
○水中に０．３重量％の洗濯洗剤組成物を含有する試験溶液を調製する
○試験溶液５０ｍＬをふた付きの２５０ｍＬメスガラスシリンダーに移す
○３０ｒｐｍで３０秒間３６０度回転する泡測定装置でシリンダーを振ってから、シリンダーを平らな面上に置く
○水層が分離するまで３０秒待つ
○シリンダーを逆さまにして泡のレベルを均一にする
○シリンダー内の泡の高さをすぐに測定し（ｍｍ）−これは、時間＝０分での初期泡量である
○ｔ＝５分、１０分、１５分および２０分で泡の高さを再度測定する
【００４５】
比較例Ｃ１〜Ｃ４および実施例１〜２のための洗濯洗剤組成物用発泡試験プロトコルの結果は表３に報告されている。
【表３】
2020532611.tif 000004
【国際調査報告】
2020532611.tif 000005
2020532611.tif 000006
2020532611.tif 000007